(57)【特許請求の範囲】
【請求項１】
ブローキャビティ型内にブローエアを供給してプリフォームをブロー成形するブローコア型装置において、
筒状の基端側部材と、前記基端側部材に螺合される筒状の先端側部材とを含み、
内部にブローエア流路を有するブローコア本体と、
前記ブローコア本体の前記先端側部材内に軸方向に移動可能に配設され、先端面を前記プリフォームの開口側天端面に当接可能にされた天端シール部材と、
前記ブローコア本体内のブローコア本体と前記天端シール部材との間に配設されて軸方向に伸縮可能にされた弾性部材と、
前記基端側部材と前記天端シール部材との内側に配置されたシール用筒部材と、
を有し、
前記基端側部材と前記シール用筒部材との間には第１のシール部材が配置され、前記天端シール部材と前記シール用筒部材との間には第２のシール部材が配置され、
前記弾性部材は、前記天端シール部材、前記シール用筒部材及び前記第２のシール部材により、前記シール用筒部材よりも前記プリフォーム側に位置する前記流路と隔絶されていることを特徴とするブローコア型装置。
【請求項２】
請求項１において、
前記シール用筒部材には、前記第１，第２のシール部材の間の位置にて外方に突出するフランジが設けられ、前記弾性部材は、前記フランジと前記天端シール部材との間に配置されていることを特徴とするブローコア型装置。
【発明の詳細な説明】
【０００１】
【発明の属する技術分野】
本発明は、ブローコア型装置に関し、特に、プリフォームとのシール構造に特徴のあるブローコア型装置に関する。
【０００２】
【背景技術及び発明が解決しようとする課題】
一般に、ブロー成形装置によりプリフォームをブロー成形する場合、ブローコア型装置を用いてブローキャビティ型内にブローエアを供給するようにしている。
【０００３】
また、このブローエアを供給する際には、プリフォームとブローコア型装置との間をシールする必要がある。
【０００４】
そこで、従来では、製品のネック内径寸法が安定するため、ブローコア型の先端部をプリフォームのネック部内に挿入し、ブローコア型の先端部外周面とプリフォームのネック部内壁面とによってシールを行うようにしている。
【０００５】
しかし、このようにブローコア型の先端部をプリフォームのネック部内に挿入すると、挿入時にブローコア型の先端部とネック部の内壁面とがこすれて、ネック部の内壁面に傷がついたり、使用する成形材料（プラスチックの種類）によっては、成形品から剥離した小片が容器内に落下したりするという問題があった。
【０００６】
本発明の目的は、ブローコア型によるシール時に、プリフォームのネック部内壁面を傷つけたり、プラスチック片が容器内に落下したりすることなくシールを行うことができるブローコア型装置を提供することにある。
【０００７】
【課題を解決するための手段】
前記目的を達成するため、本発明のブローコア型装置は、ブローキャビティ型内にブローエアを供給してプリフォームをブロー成形するブローコア型装置において、
内部にブローエア流路を有するブローコア本体と、
前記ブローコア本体の先端部内に軸方向に移動可能に配設され、先端面を前記プリフォームの開口側天端面に当接可能にされた天端シール部材と、
前記ブローコア本体内のブローコア本体と前記天端シール部材との間に配設されて軸方向に伸縮可能にされた弾性部材と、
を有することを特徴とする。
【０００８】
本発明によれば、ブローコア本体の先端部に配設した天端シール部材の先端面をプリフォームの開口側天端面に当接させてシールすることで、ブローコア本体をプリフォームの開口内に挿入することがないため、プリフォームのネック部内壁面を傷つけたり、プラスチック片が容器内に落下したりすることなくシールを行うことができる。
【０００９】
また、ブローコア本体と天端シール部材との間に弾性部材を配設することで、シールができなかったり、逆にブローコア型の推力でネック型やブローキャビティ型が破損したりするのを確実に防止し、良好なシール性を確保することができる。
【００１０】
本発明においては、前記弾性部材は、前記ブローエア流路外の位置に配設されていることが好ましい。
【００１１】
このような構成とすることにより、弾性部材がブローエア流路外にあるため、ブローエアによって弾性部材からの異物が容器内に混入するのを防止することができ、また弾性部材の材質を自由に選定することができる。
【００１２】
さらに、成形材料によっては、腐食性のガスを発生するものもあるが、このガスから弾性部材の腐食を守ることも可能である。
【００１３】
本発明においては、前記弾性部材は、合成樹脂製とされ、
前記弾性部材は、シール部材によって前記ブローエア流路と隔絶されていることが好ましい。
【００１４】
このような構成とすることにより、弾性部材として合成樹脂を用いた場合であっても、弾性部材がシール部材によってブローエア流路と隔絶されることとなるため、弾性部材からの異物が容器内に混入するのを確実に防止することができる。
【００１５】
【発明の実施の形態】
以下、本発明の好適な実施の形態について、図面を参照して詳細に説明する。
【００１６】
図１は、本発明の一実施の形態に係るブローコア型装置を示す断面図である。
【００１７】
このブローコア型装置１０は、上端部がブローコア固定板１２を介して上部基板１４の上方に配設された、例えば図示せぬ型締め板に固定されている。
【００１８】
上部基板１４には、下面側に間欠回転可能な回転板１６が配設され、この回転板１６の下面側にネック型支持板１８によって開閉可能に支持された割型からなるネック型２０が取り付けられている。
【００１９】
ネック型２０には、プリフォーム２２のネック部２４が保持された状態となっている。
【００２０】
そして、ブローコア型装置１０を下降させてネック型２０に対して型閉じするとともに、これらブローコア型装置１０及びネック型２０を図示せぬブローキャビティ型に対して型締めするようになっている。
【００２１】
このブローコア型装置１０は、ブローキャビティ型の型締め状態で、プリフォーム２２内にブローエアを供給してブロー成形するもので、内部にブローエア流路２６を形成した筒状のブローコア本体２８を有し、このブローコア本体２８内を延伸ロッド３０が昇降可能に貫通した状態となっている。
【００２２】
そして、延伸ロッド３０によりプリフォーム２２を縦軸方向に延伸するとともに、ブローエアによって横軸方向に延伸するようにしている。
【００２３】
ブローコア本体２８は、先端側部材３２と基端側部材３４とに分割形成され、先端側部材３２内には天端シール部材３６が配設されている。
【００２４】
この天端シール部材３６は、先端側部材３２内で軸方向に移動可能にされ、先端面３８を先端側部材３２の先端より突出させ、この先端面３８をプリフォーム２２の開口側であるネック部２４の天端面４０に当接可能にし、ブローコア型装置１０と、プリフォーム２２とのシールを行うようになっている。
【００２５】
また、天端シール部材３６の基端側と基端側部材３４の先端側との間に合成樹脂製、例えばウレタン製の弾性部材４２が配設されて軸方向に伸縮可能にされ、天端シール部材３６のプリフォーム２２に対する押代を確保出来るようにしている。
【００２６】
この弾性部材４２による押代は、先端側部材３２と基端側部材３４とを連結するねじ部４４の螺合度合いを調節することで調整可能としてもよい。
【００２７】
このように、天端シール部材３６によってネック部２４の天端面４０を押圧してシールするため、ブローコア型装置１０によるシール時に、ネック部２４内にブローコア型装置１０を挿入することがないため、プリフォーム２２のネック部２４内壁面を傷つけたり、プラスチック片が容器内に落下したりすることなくシールを行うことができる。
【００２８】
また、ブローコア本体２８を先端側部材３２と基端側部材３４とに分割し、先端側部材３２内に天端シール部材３６を配し、この天端シール部材３６と基端側部材３４との間に弾性部材４２を配することとしたため、ブローコア固定板１２に複数のブローコア本体２８が取り付けられている場合でも、十分な押代を確保してシール性を良好なものとすることができる。
【００２９】
また、基端側部材３４の上端部内及び基端側部材３４と先端側部材３２との連結部内にそれぞれ延伸ロッド３０用のブッシュ４６、４８が配設され、連結部側のブッシュ４８と対応位置の基端側部材３４及び天端シール部材３６との間にシール部材５０を配設している。
【００３０】
このように、ブッシュ４８によって弾性部材４２をブローエア流路２６外の位置に配設し、かつ、シール部材５０によって弾性部材４２をブローエア流路２６と隔絶することができる。
【００３１】
これによって、ブロー成形された容器内に弾性部材４２からの異物が混入することが防止できるため、弾性部材４２の材質を自由に選択できる。
【００３２】
なお、基端側部材３４には、ブローコア固定板１２に形成したブローエア導入口５２とブローエア流路２６とを連通させる連通孔５４が形成されている。
【００３３】
図２は、本発明の他の実施の形態に係るブローコア型装置を示す図である。
【００３４】
この実施の形態では、基端側部材３４内に弾性部材として耐食性のコイルスプリング６０を配設し、このコイルスプリング６０の下端部を、先端側部材３２と基端側部材３４との連結部に配設した軸方向でスライド可能にされたブッシュ４８で受け、ブッシュ４８と天端シール部材３６とを軸方向で係合させるようにしている。
【００３５】
従って、コイルスプリング６０の付勢力がブッシュ４８を介して天端シール部材３６に伝達され、天端シール部材３６のプリフォーム２２に対する押代を確保して、シール性を良好にしている。
【００３６】
他の構成及び作用は、前記実施の形態と同様につき説明を省略する。
【００３７】
本発明は、各実施の形態に限定されるものではなく、本発明の要旨の範囲内において、種々の形態に変形可能である。
【００３８】
例えば、図１に示す実施の形態では、弾性部材をブローエア流路と隔絶するためのシールを延伸ロッド用のブッシュを用いて行っているが、この例に限らず、延伸ロッド用のブッシュとは別にシール用の筒部材をブローコア本体内に設けるようにすることも可能である。
【００３９】
また、図１の実施の形態では、弾性体に合成樹脂を用いたが、これに限らず、自由に材質を選択できる。さらに、図２の実施の形態においては、ブッシュ４８と天端シール部材３６を一体としてもよい。
【図面の簡単な説明】
【図１】本発明の一実施の形態に係るブローコア型装置を示す断面図である。
【図２】本発明の他の実施の形態に係るブローコア型装置を示す断面図である。
【符号の説明】
１０  ブローコア型装置
２２  プリフォーム
２４  ネック部
２６  ブローエア流路
２８  ブローコア本体
３２  先端側部材
３４  基端側部材
３６  天端シール部材
３８  先端面
４０  天端面
４２  弾性部材
４８  ブッシュ
５０  シール部材
６０  コイルスプリング
６２  スライド部材
【図１】
0004602538.tif 000002
【図２】
0004602538.tif 000003